(57)【要約】      （修正有）【課題】速やかに結束及び解くことができ、全体の一致性と美観性を具えた紐用留め具の提供。【解決手段】主体１０、弾性体３０及びカバー５０を具え、該カバーが主体と弾性体を被覆し、弾性体が主体上方に位置決めされ、主体内に二つのスライドブロック１４が位置決めされ、スライドブロックが左右に移動可能とされ、主体が二つの対称な導入孔１２と導出孔１３を具え、弾性体両側壁が弾性壁とされ、内面に係止ブロック３４と凸柱３５が設けられ、紐２０が主体に挿入されてスライドブロックに掛けられて導出され、紐の末端が引っ張られる時に、紐を絞ることができ、且つ主体が下に移動し、紐の末端をカバーの表面内に圧入して蝶結びの形態を形成でき、弾性体を押圧及び引き上げる時、紐がゆるんだ状態となる。【選択図】図４
0003103982.tif 000002
【実用新案登録請求の範囲】
【請求項１】
主体、弾性体及びカバーを具え、該主体内に二つのスライドブロックが位置決めされ、スライドブロックが左右に移動可能とされ、該主体は箱体状を呈して円弧状に湾曲し、上面に解放空間とフランジを具え、下面に二つの対称な導入孔と二つの対称な導出孔を具え、該導出孔が外側に位置し、導入孔が内側に位置し、スライドブロックは導入孔と導出孔の間に位置し、主体の両側に突起部があり、主体の前後にスライドブロックの進入に供される孔があり、該主体に弾性体が嵌合され、該弾性体の両側壁が弾性壁とされ、弾性壁の内側に係止ブロックと凸柱があり、係止ブロックが主体内に係合、位置決めされ、凸柱は弾性体の側壁が押圧されることによりスライドブロックを押圧して移動させ、該主体及び弾性体がカバーに被覆され、該カバーは長方形とされ前板と後板を具え、前板と後板の底部内面の所定の部分に係止縁が設けられ、該係止縁が主体の底部に係合し、主体と弾性体に結合され、これにより紐の端部が主体の底面の導入孔より挿入され、さらに主体上部の開放空間を通り底面の導出孔より導出され、紐が導入孔の上下方向に力を受け、スライドブロックが凸柱の押圧を受ける時、自由に紐を引っ張り伸縮させることができ、紐が導入孔の側方の力を受ける時、スライドブロックが側方に移動してスライドブロックが紐を押圧して紐を縛る動作を行ない、弾性体を押圧し引き上げる時、紐がゆるんだ状態となり、こうして速やかに紐を結束し、及び解くことができ、且つカバーが主体及び弾性体を被覆及び内蔵して全体の一致性を増し、紐の末端がカバーに挿入されることで蝶結び形態を形成して外観を良くすることができることを特徴とする、紐用留め具。
【請求項２】
請求項１記載の紐用留め具において、カバーの前板の表面に嵌合溝が設けられ、該嵌合溝が半円の直條凹溝とされ、上端が細口とされ、紐の嵌入位置決めに供されることを特徴とする、紐用留め具。
【請求項３】
請求項１記載の紐用留め具において、スライドブロックが長方形ブロックとされ、スライドブロックの内側面に円弧凹面が設けられ、該凹面が扁平な紐の通過に供され、該スライドブロックの外側面に円弧凹面が形成され該外側面に凹凸紋が設けられたことを特徴とする、紐用留め具。
【考案の詳細な説明】
【技術分野】
【０００１】
本考案は紐用留め具に係り、特に一回の動作で操作でき、外観のよい紐用留め具に関する。
【背景技術】
【０００２】
周知のとおり、靴紐の弛みを防止すると共に靴の着脱に便利とするため、靴紐は蝶結びされるが、蝶結びにした後に走行或いは跳躍すると、蝶結びがほどけて再度結ばなければならなくなることがよくある。靴の着脱時にも一々蝶結びしたり解く作業が必要であり、非常に不便である。特に、運動靴は激しい振動、押圧を受けるため、蝶結びされた靴紐がほどけやすい。ゆえに、粘着帯を利用して迅速に靴を着脱できる装置も提供されている。しかし、消費者の多くは使用習慣上、靴紐に慣れており、ゆえに便利な紐用留め具が求められている。
【考案の開示】
【考案が解決しようとする課題】
【０００３】
本考案の主要な目的は、一種の紐用留め具を提供することにあり、それは簡便な操作とステップで強固に結束或いは緩めることができ、多くのステップ、多動作の操作が不要で、一回の引き上げ動作で靴紐を緩めることができるものとする。
【０００４】
本考案はまた、カバーを具え、美観及び一致性を具えた一種の紐用留め具を提供することを目的とする。
【０００５】
本考案はまた、靴紐末端をカバーに挿入して位置決めすることで靴紐に蝶結び形態となすことができる一種の紐用留め具を提供することを目的とする。
【課題を解決するための手段】
【０００６】
請求項１の考案は、主体、弾性体及びカバーを具え、該主体内に二つのスライドブロックが位置決めされ、スライドブロックが左右に移動可能とされ、該主体は箱体状を呈して円弧状に湾曲し、上面に解放空間とフランジを具え、下面に二つの対称な導入孔と二つの対称な導出孔を具え、該導出孔が外側に位置し、導入孔が内側に位置し、スライドブロックは導入孔と導出孔の間に位置し、主体の両側に突起部があり、主体の前後にスライドブロックの進入に供される孔があり、該主体に弾性体が嵌合され、該弾性体の両側壁が弾性壁とされ、弾性壁の内側に係止ブロックと凸柱があり、係止ブロックが主体内に係合、位置決めされ、凸柱は弾性体の側壁が押圧されることによりスライドブロックを押圧して移動させ、該主体及び弾性体がカバーに被覆され、該カバーは長方形とされ前板と後板を具え、前板と後板の底部内面の所定の部分に係止縁が設けられ、該係止縁が主体の底部に係合し、主体と弾性体に結合され、これにより紐の端部が主体の底面の導入孔より挿入され、さらに主体上部の開放空間を通り底面の導出孔より導出され、紐が導入孔の上下方向に力を受け、スライドブロックが凸柱の押圧を受ける時、自由に紐を引っ張り伸縮させることができ、紐が導入孔の側方の力を受ける時、スライドブロックが側方に移動してスライドブロックが紐を押圧して紐を縛る動作を行ない、弾性体を押圧し引き上げる時、紐がゆるんだ状態となり、こうして速やかに紐を結束し、及び解くことができ、且つカバーが主体及び弾性体を被覆及び内蔵して全体の一致性を増し、紐の末端がカバーに挿入されることで蝶結び形態を形成して外観を良くすることができることを特徴とする、紐用留め具としている。
請求項２の考案は、請求項１記載の紐用留め具において、カバーの前板の表面に嵌合溝が設けられ、該嵌合溝が半円の直條凹溝とされ、上端が細口とされ、紐の嵌入位置決めに供されることを特徴とする、紐用留め具としている。
請求項３の考案は、請求項１記載の紐用留め具において、スライドブロックが長方形ブロックとされ、スライドブロックの内側面に円弧凹面が設けられ、該凹面が扁平な紐の通過に供され、該スライドブロックの外側面に円弧凹面が形成され該外側面に凹凸紋が設けられたことを特徴とする、紐用留め具としている。
【考案の効果】
【０００７】
本考案の紐用留め具は、簡便な操作とステップで強固に結束或いは緩めることができ、多くのステップ、多動作の操作が不要で、一回の引き上げ動作で紐を緩めることができ、また、カバーを具え、美観及び一致性を具え、紐末端をカバーに挿入して位置決めすることで靴紐に蝶結び形態となすことができる。
【考案を実施するための最良の形態】
【０００８】
本考案の紐用留め具は、主体、弾性体及びカバーを具え、該主体内に二つのスライドブロックが位置決めされ、スライドブロックが左右に移動可能とされ、該主体は箱体状を呈して円弧状に湾曲し、上面に解放空間とフランジを具え、下面に二つの対称な導入孔と二つの対称な導出孔を具え、該導出孔が外側に位置し、導入孔が内側に位置し、スライドブロックは導入孔と導出孔の間に位置し、主体の両側に突起部があり、主体の前後にスライドブロックの進入に供される孔があり、該主体に弾性体が嵌合され、該弾性体の両側壁が弾性壁とされ、内部に係止ブロックと凸柱があり、係止ブロックが主体内に係合、位置決めされ、凸柱は弾性体の側壁により移動してスライドブロックを押圧して移動させ、該主体及び弾性体がカバーに被覆され、該カバーは長方形とされ前板と後板を具え、前板と後板の底部内面の所定の部分に係止縁が設けられ、該係止縁が主体の底部に係合し、主体と弾性体に結合され、これにより靴紐の端部が主体の底面の導入孔より挿入され、さらに主体上部の開放空間を通り底面の導出孔より導出され、靴紐が導入孔の上下方向に力を受け、スライドブロックが凸柱の押圧を受ける時、自由に靴紐を引っ張り伸縮させることができ、靴紐が導入孔の側方の力を受ける時、スライドブロックが側方に移動してスライドブロックが靴紐を押圧して靴紐を縛る動作を行ない、弾性体を押圧し引き上げる時、靴紐がゆるんだ状態となり、速やかに靴紐を結束し、及び解く目的を達成し、且つカバーが主体及び弾性体を被覆及び内蔵して全体の一致性を増し、靴紐の末端がカバーに挿入されることで蝶結び形態を形成して外観を良くすることができる。
【実施例１】
【０００９】
図１、２及び図３に示されるように、本考案の紐用留め具は、主体１０を具え、該主体１０は箱体状を呈し、上面に開放空間１１を具え、底面に二つの対称な導入孔１２と二つの対称な導出孔１３を具え、導入孔１２は内側に位置し、導出孔１３は外側に位置する。該主体１０内に二つのスライドブロック１４が収容され、該スライドブロック１４は導入孔１２と導出孔１３の間に位置し、導入孔１２と導出孔１３は同一孔に設けられ、スライドブロック１４がその間に位置することにより、該孔が導入孔１２と導出孔１３に区分される。主体１０の前後にそれぞれ孔１７があり、該孔１７はスライドブロック１４の主体１０内への挿入に供され、該主体１０の上方にフランジ１５が設けられて、スライドブロック１４を限位し、該スライドブロック１４の内面に凹面１４１があり、凹面１４１に扁平或いは円形の靴紐２０が通される。主体１０の両側下方に突起部１６があり、スライドブロック１４の外側面に凹凸紋１４２が設けられている。主体１０はやや湾曲するアーチ状を呈し、靴４０の靴紐面４１に符合し（図８参照）、該主体１０の上方に弾性体３０が嵌合され、該弾性体３０はアーチ状を呈し、両側壁３１を具え、側壁３１は弾性圧縮回復力と表面の凹凸模様を有して手指で保持するのに便利である。側壁３１の内面に二つの係止ブロック３４と二つの凸柱３５があり、係止ブロック３４は方形ブロックとされて主体１０のフランジ１５下方に係止され、その方形ブロックは順調にフランジ１５に係合する。凸柱３５は側壁３１押圧後、スライドブロック１４に係合し、スライドブロック１４を移動させ、側壁３１が押圧される時、凸柱３５はスライドブロック１４を押圧する。
【００１０】
カバー５０は、長方形でやや湾曲し、カバー５０は後板５１、前板５２を具え、後板５１及び前板５２の底部内面の所定の部分に係止縁５１１、５２１が設けられ、該係止縁５１１、５２１が主体１０の底部に係合可能とされ、主体１０と弾性体３０に結合され、カバー５０の上面はカラー、模様等の変化を具備しうる。該前板５２の表面に一組の嵌合溝５２２が設けられ、該嵌合溝５２２は半円形に凹み、且つ上端開口部分が細く、靴紐２０の末端２１の圧入位置決めに供される。
【００１１】
以上の構造が組み合わされて本考案の紐用留め具が構成される。靴紐２０を組み合わせる時は、図４に示されるように、まずスライドブロック１４を主体１０の孔１７内に入れ、靴紐２０の末端２１を主体１０の底面の導入孔１２より挿入して上面に通し、さらに上方より導出孔１３に通して底面より導出し、別端もまた同様に取り付け、さらに弾性体３０を主体１０上方に嵌合し、弾性体３０を圧迫して主体１０に結合させ、弾性体３０内の係止ブロック３４を主体１０のフランジ１５下方に係合させて位置決めする。さらにカバー５０を主体１０及び弾性体３０の上方に嵌合し、カバー５０の係止縁５１１、５２１を主体１０の底部に限位する。この時、図５に示されるように、自由に靴紐２０の末端２１を引っ張ることができ、末端２１の露出長さを延長することができ、これにより主体１０を靴４０の靴紐面４１に当接させられる（図８）。靴紐２０を主体１０内で引き絞るほど、靴紐面４１が反作用力を発生して靴紐２０を引っ張り、スライドブロック１４が外側に移動し、底部の靴紐２０は両側に向けて引っ張られないため、靴紐が締めつけられる。靴紐２０の末端２１近い部分は折れ曲がり導出孔１３の側條１６内面と底の角部の摩擦により係止され、スライドブロック１４は靴紐２０の導入孔１２に垂直な側移動力を受けて靴紐２０を締めつけ、靴紐２０を両側に向けて伸張不能とする。ただし、更に上方の靴紐２０の末端２１を引っ張ると、ますます締めつけられる。上方の紐用２０の末端２１を引っ張ることができる原因は、末端２１が引っ張られる時に、スライドブロック１４がゆるんだ状態を呈し、突起部１６に圧接されないため、靴紐２０上方が係止されないためである。
【００１２】
図７、８に示されるように、靴紐２０を引き絞った後、両側の靴紐２０の末端は、元来垂れ下がった状態であるが（図７）、末端２１をカバー５０の嵌合溝５２２内に圧入して位置決めし、これにより靴紐２０に伝統的な蝶結びのような形態を形成させる（図３、８）。これにより外観が良くなり、並びに下垂した靴紐２０や長過ぎる靴紐２０を踏んで転ぶ問題を解決する。
【００１３】
主体１０を取り外したいか、或いは靴紐２０を緩めたい場合は、図６に示されるように、手指で弾性体３０の側壁３１を保持し、側壁３１を内向きに移動させると、凸柱３５がスライドブロック１４を押圧し、スライドブロック１４を内向きに移動させ、スライドブロック１４と突起部１６が靴紐２０を係止しなくなる。この時、上向きに弾性体３０を引き上げれば（主体１０、カバー５０を一体に）、主体１０が上昇し、主体１０と靴紐２０が弛んだ状態となる。
【００１４】
本考案は操作が簡単で、靴紐２０を締めつけたい時は、靴紐２０の末端を引っ張れば必要な緊張度が得られ、開放時には、弾性体３０の両側壁３１を押圧し並びに持ち上げれば、主体１０が共に持ち上がり、靴紐２０がゆるめられる。その組立は簡単で、操作に便利であり、靴のほか、ヘルメットの留め具、リュックの留め具、避難用具の留め具等に使用可能である。
【００１５】
本考案はカバー５０の増設により、主体１０と弾性体３０が内蔵され、外観の一致性が増されている。カバー５０の上面にはカラー或いは模様（或いは夜光模様）を設けることができる。弾性体３０はアーチ状を呈し、弾性体３０が主体１０に強固に順調に結合されるように、弾性体３０の係止ブロック３４は方形ブロック状に形成されて主体１０のフランジ１５に係合し、弾性体３０が手指で両側から圧縮された後、凸柱３５が傾斜して凸柱３５の前面が靴紐２０に接触し、スライドブロック１４を押動し、且つカバー５０の嵌合溝５２２を利用し、靴紐２０に蝶結び造形を形成させられ、美観が追求されているほか、靴紐２０の末端の下垂と下垂が長過ぎて使用者が踏んで転倒するのを防止する。
【００１６】
本考案はカバー５０を不使用の状況でも実施可能であり、全体の高度を減少でき、また、カバー５０と弾性体３０を併合し、弾性体３０の表面にカラー或いは模様（或いは夜光模様）を形成することでもカバー５０と同じ効果を達成できる。
【００１７】
総合すると、本考案の紐用留め具は新規性、実用性を具え、実用新案登録の要件を具備している。
【図面の簡単な説明】
【００１８】
【図１】本考案の立体分解図である。
【図２】本考案の水平方向断面図である。
【図３】本考案の垂直方向断面図である。
【図４】本考案の靴紐を通す断面動作表示図である。
【図５】本考案の靴紐を引き絞る断面動作表示図である。
【図６】本考案の弾性体を引き上げて（カバーと主体も連帯して）、靴紐をゆるめる断面動作表示図である。
【図７】本考案を靴に応用した立体図である（靴紐の末端は下垂状態）。
【図８】本考案を靴に応用した立体図である（靴紐は蝶結び状態）。
【符号の説明】
【００１９】
１０  主体          １７  孔          ５０  カバー
１１  開放空間      ２０  靴紐        ５１  後板
１２  導入孔        ２１  末端        ５１１  係止縁
１３  導出孔        ３０  弾性体      ５２  前板
１４  スライドブロック  ３１  側壁    ５２１  係止縁
１４１  凹面        ３４  係止ブロック  ５２２  嵌合溝
１４２  凹凸紋      ３５  凸柱
１５  フランジ      ４０  靴
１６  突起部        ４１  靴紐面
【図１】
0003103982.tif 000003
【図２】
0003103982.tif 000004
【図３】
0003103982.tif 000005
【図４】
0003103982.tif 000006
【図５】
0003103982.tif 000007
【図６】
0003103982.tif 000008
【図７】
0003103982.tif 000009
【図８】
0003103982.tif 000010